(57)【特許請求の範囲】
【請求項１】
複数の内線を収容し、これらの内線に接続される電話端末との間の通信制御機能及び前記電話端末側から到来する信号をデジタル信号に変換するデータ圧縮制御機能を有する内線インタフェースユニット部と、外部通信ネットワークとの間の通信制御機能及び前記外部通信ネットワーク側から到来する信号をデジタル信号に変換するためのデータ圧縮制御機能を有する外部インタフェースユニット部と、前記内線インタフェースユニット部及び前記外部インタフェースユニット部に対し前記デジタル信号を伝送するためのＰＣＭハイウェイ及び制御情報授受を行なうためのデータハイウェイを介して接続され、呼の設定要求に応じて前記内線インタフェースユニット部と前記外部インタフェースユニット部との間でＰＣＭハイウェイを介して伝送されるデジタル信号のチャネル交換を行なう交換制御部とを具備した交換装置において、
前記交換制御部は、
前記内線インタフェースユニット部及び前記外部インタフェースユニット部各々のデータ圧縮方式を互いにデータ圧縮方式が異なる第１圧縮則及び第２圧縮則のいずれか一方に設定するために必要な選択情報を、前記データハイウェイを介して前記外部インタフェースユニット部及び前記内線インタフェースユニット部に送出する選択情報送出手段と、
データ圧縮方式を前記第１圧縮則と前記第２圧縮則とに選択的に設定可能なコーデックを内蔵しているとき、このコーデックのデータ圧縮方式を前記選択情報に基づいて前記第１圧縮則もしくは前記第２圧縮則に切換制御する内部用圧縮方式切換制御手段とを備え、
前記外部インタフェースユニット部及び前記内線インタフェースユニット部の各々は、
前記複数の内線にそれぞれ接続される電話端末もしくは前記外部通信ネットワークとの間の通信制御機能を有するインタフェース手段と、
このインタフェース手段の出力を、前記第１圧縮則と前記第２圧縮則とに選択的に設定可能なコーデックを用いてデジタル信号に変換して出力するアナログ／デジタル変換手段と、
前記インタフェース手段及び前記アナログ／デジタル変換手段をそれぞれ制御するユニット内制御手段と、
前記ユニット内制御手段にて抽出される前記選択情報に基づいて、前記コーデックのデータ圧縮方式を前記第１圧縮則もしくは前記第２圧縮則に切換制御する圧縮方式切換制御手段とを備えてなることを特徴とする交換装置。
【請求項２】
前記選択情報送出手段は、１つのインタフェースユニット部に対し前記データハイウェイを介して授受される制御データの中の１ビットに、前記第１圧縮則もしくは前記第２圧縮則を示す情報を割り当て、この制御データを前記各ユニット部のユニット内制御手段に送出する手段であることを特徴とする請求項１記載の交換装置。
【発明の詳細な説明】
【０００１】
【発明の属する技術分野】
この発明は、例えば音声信号をデジタル化するための２種類以上の圧縮方式をいずれか１つに設定可能な交換装置に関する。
【０００２】
【従来の技術】
従来、オフィスビルや事業所で使用されているボタン電話システムにおいて、交換装置として使用されるボタン電話主装置がある。そして、このボタン電話主装置には、複数の内線もしくは公衆網、専用線等の外部通信ネットワークを接続し、これらに接続される電話端末との間の通信制御機能を有するインタフェースユニット部が内蔵されている。
【０００３】
図６は、上記インタフェースユニット部の具体的構成を示している。
すなわち、複数の内線もしくは外部通信ネットワークから到来した信号は、ｎ個のインタフェース（ＩＦ）（１１１〜１１ｎ）を備えるインタフェース部１１で捕捉され、呼確立制御等が施された後、コーデック部１２に供給される。コーデック部１２は、それぞれデータ圧縮方式をＭｕ則とＡ則とに切換設定可能なｎ個の可変コーデック１２１〜１２ｎを備え、インタフェース１１１〜１１ｎのいずれか一方からの出力信号を対応する可変コーデック１２１〜１２ｎによりデジタル信号に変換してＰＣＭハイウェイ２に出力する。また、インタフェース部１１及びコーデック部１２は、それぞれサブ制御部１３により制御されている。さらに、サブ制御部１３は、データハイウェイ３との間で制御情報の授受を行なう。なお、Ｍｕ則及びＡ則は、互いにデータ圧縮に使用されるビット数及び量子化処理が異なるものである。
【０００４】
ここで、ユニット内に備えられている可変コーデック１２１〜１２ｎでは、音声信号をデジタル化する圧縮方式として主に北米、日本などで使用されているＭｕ則と、主にヨーロッパで使用されているＡ則との２種類の方式が用いられており、外部よりこの２種類の方式を選択できるようになっている。この圧縮方式は、各国にてどちらを使用するかは決められたものとなっており、仕向地の方式に合わせてシステム全体をどちらかの方式に固定しなければならない。
【０００５】
そこで、従来では、圧縮方式の固定方法として、各ユニット毎にコーデック部１２の各可変コーデック１２１〜１２ｎのＭｕ則／Ａ則切換選択ピンを５Ｖあるいは−５Ｖ，０Ｖに固定していた。すなわち、抵抗１４ａを実装し、抵抗１４ｂを未実装として各可変コーデック１２１〜１２ｎの切換選択ピンに５Ｖを加えるとＭｕ則となり、また抵抗１４ａを未実装とし、抵抗１４ｂを実装して−５Ｖあるいは０Ｖを加えるとＡ則となる。
【０００６】
しかしながら、従来のボタン電話主装置では、仕向地毎にＭｕ則かＡ則かを判断してシステム内の全てのコーデック部について可変コーデックのＭｕ則／Ａ則切換選択ピンに入力される電圧を変えるために抵抗１４ａ，１４ｂの実装位置を人の手により変更しなければならなくなり、また、各ユニット毎にＭｕ則とＡ則との２種類のユニットが存在することとなり、ユニットの種類が倍になる。このため、ボタン電話主装置は、その構成が大型化もしくは複雑化し、さらに装置自体が高価格となってしまうことになる。
【０００７】
また、データ圧縮方式の選択は、各ユニット毎の設定に担っているため、あるユニットの圧縮方式がその仕向地で決まっている法則とは矛盾する設定となる場合もあり、さらに、この圧縮方式が矛盾しているか否かを判断するために、実際にそのユニットと通話させないと、矛盾を判断できないという問題も生じていた。
【０００８】
【発明が解決しようとする課題】
以上のように、上記ボタン電話主装置では、データ圧縮方式を変えるために、各ユニット毎の抵抗の実装位置を人の手により設定しなければならず、さらに、あるユニットの圧縮方式がその仕向地で決まっている法則とは矛盾する場合に、そのユニットに対して通話を行なわなければ矛盾しているかどうかを判断できないという問題を有している。
【０００９】
そこで、この発明の目的は、データ圧縮方式を切り換える際に、各ユニット毎に人の手による設定を行なう必要がなく、さらに、各ユニット同士で矛盾する設定とならず、装置内で統一したデータ圧縮方式を実現でき、信頼性の高い交換装置を提供することにある。
【００１０】
【課題を解決するための手段】
この発明は、複数の内線を収容し、これらの内線に接続される電話端末との間の通信制御機能及び電話端末側から到来する信号をデジタル信号に変換するデータ圧縮制御機能を有する内線インタフェースユニット部と、外部通信ネットワークとの間の通信制御機能及び外部通信ネットワーク側から到来する信号をデジタル信号に変換するためのデータ圧縮制御機能を有する外部インタフェースユニット部と、呼の設定要求に応じた内線インタフェースユニット部と外部インタフェースユニット部との間の交換を行なう交換制御部とを具備した交換装置を対象にしている。
【００１１】
そして、上記目的を解決するために、交換制御部は、内線インタフェースユニット部及び外部インタフェースユニット部各々のデータ圧縮方式を互いにデータ圧縮方式が異なる第１圧縮則及び第２圧縮則のいずれか一方に切換設定するために必要な選択情報を、内線インタフェースユニット部及び外部インタフェースユニット部との間の制御情報授受を行なうためのデータ制御回線を介して、外部インタフェースユニット部及び内線インタフェースユニット部に送出する選択情報送出手段を備え、外部インタフェースユニット部及び内線インタフェースユニット部の各々は、交換制御部により送出された選択情報を抽出し、選択情報に基づいて、自ユニット内のデータ圧縮方式を第１圧縮則もしくは第２圧縮則に切換制御する圧縮方式切換制御手段を備えるようにしたものである。
【００１２】
この構成によれば、内線インタフェースユニット部及び外部インタフェースユニット部各々のデータ圧縮方式を互いに異なるデータ圧縮方式となる第１圧縮則及び第２圧縮則のいずれか一方に切換設定するために必要な選択情報は、交換制御部から内線インタフェースユニット部及び外部インタフェースユニット部に通知されることになり、内線インタフェースユニット部及び外部インタフェースユニット部の各々は、この通知された選択情報に基づいて、各自ユニット内のデータ圧縮方式を第１圧縮則及び第２圧縮則のいずれか一方に切換設定できるようになる。すなわち、各ユニット部のデータ圧縮方式の切換設定機能を各ユニット部の総括的な制御を行なう交換制御部に持たせることが可能となり、また、内線インタフェースユニット部及び外部インタフェースユニット部との間の制御情報授受を行なうためのデータハイウェイを利用して上記選択情報を各ユニット部に通知するので、別途に専用回線を設けずに済むことになる。
【００１３】
このため、各ユニット部毎にデータ圧縮方式を切換設定するための専用回路を別途に設けることがなく、交換制御部により各ユニット部のデータ圧縮方式を一括して切換可能であることにより、データ圧縮方式を切り換える際に、各ユニット毎に人の手による設定を行なう必要がなく、さらに、各ユニット同士で矛盾する設定とならず、装置内で統一したデータ圧縮方式を実現でき、信頼性を向上させることが可能となる。
【００１４】
またこの発明は、選択情報として、１つのインタフェースユニット部に対しデータハイウェイを介して授受される制御データの中の１ビットに、第１圧縮則もしくは第２圧縮則を示す情報を割り当てるようにしている。このため、選択情報を送出するために必要なデータ量を少なくすることも可能である。
【００１５】
【発明の実施の形態】
以下、この発明の実施の形態について図面を参照して詳細に説明する。
図１は、この発明に係わるボタン電話システムの一実施の形態を示すブロック図であり、４はこのシステムの中核をなすボタン電話主装置を示している。
【００１６】
ボタン電話主装置４は、外線インタフェースユニット部４１と、内線インタフェースユニット部４２と、専用線インタフェースユニット部４３と、中央制御ユニット４４とを備え、これらはＰＣＭ（Pulse Code Modulation ）ハイウェイ４５及びデータハイウェイ４６を介して相互に接続されている。
【００１７】
外線インタフェースユニット４１は、インタフェース部（ＩＦ）４１１と、コーデック部（ＣＯＤＥＣ）４１２と、サブ制御部４１３とを備えている。このうち、インタフェース部４１１は、加入者線ＳＬを介して公衆網５に接続され、公衆網５との間の呼の確立処理等を行なう。コーデック部４１２は、インタフェース部４１１の出力をデジタル信号に変換してＰＣＭハイウェイ４５に出力し、逆にＰＣＭハイウェイ４５から到来するデジタル信号をアナログ信号に変換してインタフェース部４１１に送出する。サブ制御部４１３は、インタフェース部４１１及びコーデック部４１２に対する制御処理を実行する。また、サブ制御部４１３は、中央制御ユニット部４４との間でデータハイウェイ４６を介して制御データの授受を行なっている。
【００１８】
内線インタフェースユニット部４２は、インタフェース部（ＩＦ）４２１と、コーデック部（ＣＯＤＥＣ）４２２と、サブ制御部４２３とを備えている。このうち、インタフェース部４２１には内線ＥＬが収容されており、この内線ＥＬにはデジタルボタン電話機等の内線端末６が接続される。すなわち、インタフェース部４２１は、内線端末６に対する発着信処理等を行なう。なお、インタフェース部４２１は、内線ＥＬの他の複数の内線も収容している。また、コーデック部４２２及びサブ制御部４２３においては、上記コーデック部４１２及びサブ制御部４１３と同様の処理を行なっているので説明を省略する。
【００１９】
専用線インタフェースユニット部４３は、インタフェース部（ＩＦ）４２１と、コーデック部（ＣＯＤＥＣ）４２２と、サブ制御部４２３とを備えている。このうち、インタフェース部４１１は、専用線７に接続され、専用線７との間の呼の確立処理等を行なう。なお、コーデック部４３２及びサブ制御部４３３においては、上記コーデック部４１２及びサブ制御部４１３と同様の処理を行なっているので説明を省略する。
【００２０】
中央制御ユニット部４４は、タイムスイッチ部４４１と、データ制御部４４２と、ＣＰＵ４４３と、ＲＯＭ４４４と、ビジー信号検出部４４５と、ＰＢ信号検出部４４６と、圧縮方式切替部４４８とを備えている。このうち、タイムスイッチ部４４１、データ制御部４４２、ＣＰＵ４４３、ＲＯＭ４４４及び圧縮方式切替部４４８は制御バス４４７を介して相互に接続されている。また、ビジー信号検出部４４５及びＰＢ信号検出部４４６は、タイムスイッチ部４４１にそれぞれ接続されている。
【００２１】
タイムスイッチ部４４１は、ＣＰＵ４４３の指示に従い、外線インタフェースユニット部４１と内線インタフェースユニット部４２と専用線インタフェースユニット部４３との間でＰＣＭハイウェイ４５を介して伝送されるデジタル信号のチャネル交換を行なう。データ制御部４４２は、ＣＰＵ４４３の指示に従い、各ユニット部４１〜４３の各々のサブ制御部４１３〜４３３との間でデータハイウェイ４６を介して各ユニット部制御に必要な制御データの授受を行なう。なお、ＣＰＵ４４３は、ＲＯＭ４４４に記憶されたプログラム及び制御データに基づいて、各回路の制御処理を行なう。
【００２２】
また、ビジー信号検出部４４５及びＰＢ信号検出部４４６は、それぞれ外線からのビジー信号及びＰＢ信号を受信するためのものである。
次に、中央制御ユニット部４４内でデータ圧縮方式をＭｕ則及びＡ則のいずれか一方に切換設定するための回路構成について説明する。この場合、ＣＰＵ４４３と圧縮方式切替部４４８とを組み合わせた例で説明する。
【００２３】
圧縮方式切替部４４８は、Ｉ／Ｏコントローラ５１と、Ｄ型フリップフロップ（Ｄ−ＦＦ）回路５２と、反転回路５３とにより構成される。ＣＰＵ４４３は、Ｄ−ＦＦ回路５２に出力する制御データにＭｕ則／Ａ則を切り換えるビットを割り当てる。そして、この制御データは、Ｄ−ＦＦ回路５２によりチップセレクト信号に基づいて制御バス４４７上の出力ポートに出力される。なお。このチップセレクト信号は、Ｉ／Ｏコントローラ５１によりＣＰＵ４４３の指示で、出力される。
【００２４】
Ｄ−ＦＦ回路５２から出力される制御データは、Ｈ（ハイ）レベルでＭｕ則、Ｌ（ロー）レベルでＡ則とする信号であり、反転回路５３で反転されると、ＨレベルでＡ則、ＬレベルでＭｕ則となる。この制御データもしくは反転された制御データは、制御される側の素子により使い分けをする。
【００２５】
そして、データ圧縮切替部４４８から出力される制御データは、制御バス４４７及びタイムスイッチ部４４１を介してビジー信号検出部４４５及びＰＢ信号検出部４４６にそれぞれ与えられる。以後、ビジー信号検出部４４５及びＰＢ信号検出部４４６は、入力された制御データからＭｕ則もしくはＡ則を示すビット情報を抽出し、この抽出した情報に基づいて、自回路のデータ圧縮方式をＭｕ則もしくはＡ則に切り換える。
【００２６】
次に、データハイウェイ４６を利用して圧縮方式を制御する構成を図３を参照して説明する。なお、図３は、上記データ制御部４４２とＣＰＵ４４３とを組み合わせた例を示している。
【００２７】
データ制御部４４２は、デュアルポートＲＡＭ６１とサブＣＰＵ６２とにより構成されている。ＣＰＵ４４３は、図４に示すように、１つのユニットに対してデータハイウェイ４６を介して転送する１１ｂｙｔｅの制御データフォーマット７１のうちの１ビットにＭｕ則／Ａ則のビットを割り当てている。そして、この制御データをデュアルポートＲＡＭ６１に記憶する。この場合、制御データは、Ｍｕ則／Ａ則のビットにおいて、ＨレベルでＭｕ則を示し、ＬレベルでＡ則を示している。
【００２８】
デュアルポートＲＡＭ６１に記憶された制御データは、サブＣＰＵ６２で読み出された後、データハイウェイ４６を介して各インタフェースユニット部のサブ制御部に転送される。
【００２９】
なお、上記構成によれば、１つのデータハイウェイ４６で１４台のユニット部を制御できる。
次に、各ユニット部における構成を図５を参照して説明する。なお、図５において、図６と同一部分には同一符号を付して説明する。
【００３０】
すなわち、サブ制御部１３は、中央制御ユニット部４４からデータハイウェイ４６を介して送出される制御データを取り込み、この取り込んだ制御データからＭｕ則／Ａ則のビットを抽出し、Ｍｕ則であるかＡ則であるかを判定する。この判定結果は、各可変コーデック１２１〜１２ｎの制御信号として出力ポート８１に出力され、以後、各可変コーデック１２１〜１２ｎのＭｕ則／Ａ則切換選択ピンの切り換えに供される。
【００３１】
以上のように上記実施の形態によれば、外線インタフェースユニット部４１、内線インタフェースユニット部４２及び専用線インタフェースユニット部４３各々のデータ圧縮方式を、互いにデータ圧縮方式が異なるＭｕ則及びＡ則のうちいずれか一方に切換設定するために必要な選択情報は、中央制御ユニット部４４から各インタフェースユニット部４１〜４３に送出されることになり、各インタフェースユニット部４１〜４３各々のサブ制御部４１３，４２３，４３３は、この送出された選択情報に基づいて、各自のコーデック部４１２，４２２，４３２のデータ圧縮方式をＭｕ則もしくはＡ則に切換設定できるようになる。すなわち、各インタフェースユニット部４１〜４３のデータ圧縮方式の切換設定機能を各インタフェースユニット部４１〜４３の総括的な制御を行なう中央制御ユニット部４４に持たせることが可能となり、また、データハイウェイ４６を利用して選択情報を各インタフェースユニット部４１〜４３に通知するので、別途に専用回線を設けずに済むことになる。
【００３２】
このため、各インタフェースユニット部毎にデータ圧縮方式を切換設定するための専用回路を別途に設けることなく、中央制御ユニット部４４により自ユニット部及び各インタフェースユニット部４１〜４３のデータ圧縮方式を一括して切換可能であることにより、データ圧縮方式を切り換える際に、各ユニット部毎に人の手による設定を行なう必要がなく、さらに、各ユニット同士で矛盾する設定とならず、ボタン電話主装置４内で統一したデータ圧縮方式を実現できる。また、中央制御ユニット部４４は、自ユニット内に設けられたビジー信号検出部４４５及びＰＢ信号検出部４４６のデータ圧縮方式の切り換えも可能である。
【００３３】
また、上記実施の形態では、Ｍｕ則もしくはＡ則に切換設定するための選択情報として、１つのインタフェースユニット部に対しデータハイウェイ４６を介して授受される制御データの中の１ビットに、Ｍｕ則もしくはＡ則を示すビットを割り当てるようにしている。このため、選択情報を送出するために必要なデータ量を少なくすることも可能である。
【００３４】
なお、上記実施の形態において、中央制御ユニット部４４内のＣＰＵ４４３は、Ｍｕ則に適するシステムであるかＡ則に適するシステムであるかを把握する必要があるが、この情報は、オペレータの入力操作によりＣＰＵ４４３に通知されるようにしてもよく、また、監視回路等を設けてデータ圧縮方式を判断するようにしてもよい。
また、この発明は、その他にもこの要旨を逸脱しない範囲で種々変形して実施可能なことはもちろんのことである。
【００３５】
【発明の効果】
以上詳述したようにこの発明によれば、交換制御部による各ユニット部の制御処理を利用して、各ユニット部内のコーデック部のデータ圧縮方式をＭｕ則もしくはＡ則に切換設定できるようにしている。このため、データ圧縮方式を切り換える際に、各ユニット毎に人の手による切換設定を行なう必要がなく、さらに、各ユニット同士で矛盾する設定とならず、装置内で統一したデータ圧縮方式を実現でき、信頼性の高い交換装置を提供することが可能となる。
【図面の簡単な説明】
【図１】この発明に係わるボタン電話システムの一実施の形態を示す回路ブロック図。
【図２】同実施の形態における中央制御ユニット部内でＭｕ則もしくはＡ則に切換設定するための構成を示す回路ブロック図。
【図３】同実施の形態におけるデータハイウェイを利用して圧縮方式を制御する構成を示す回路ブロック図。
【図４】データハイウェイ上で転送される制御データのフォーマットを示す図。
【図５】同実施の形態における各インタフェースユニット部の構成を示す回路ブロック図。
【図６】従来の各インタフェースユニット部の構成を示す回路ブロック図。
【符号の説明】
４…ボタン電話主装置、
５…公衆網、
６…内線端末、
７…専用線、
１１…インタフェース部、
１２…コーデック部、
１３…サブ制御部、
４１…外線インタフェースユニット部、
４２…内線インタフェースユニット部、
４３…専用線インタフェースユニット部、
４４…中央制御ユニット部、
４５…ＰＣＭハイウェイ、
４６…データハイウェイ、
４１１，４２１，４３１…インタフェース部、
４１２，４２２，４３２…コーデック部、
４１３，４２３，４３３…サブ制御部、
４４１…タイムスイッチ部、
４４２…データ制御部、
４４３…ＣＰＵ、
４４４…ＲＯＭ。
【図１】
0003749793.tif 000002
【図２】
0003749793.tif 000003
【図３】
0003749793.tif 000004
【図４】
0003749793.tif 000005
【図５】
0003749793.tif 000006
【図６】
0003749793.tif 000007